(57)【要約】【課題】端部の縦隔壁の過度な現像を防止して傾かせることがないようにし、前面板と背面板との間に必要以上の隙間を生じさせずにクロストークのない表示品質の高い画像表示が可能なプラズマディスプレイパネル（ＰＤＰ）を提供すること。【解決手段】表示電極対を有する前面板２０と、データ電極３２および隔壁３４を有する背面板３０とを、表示電極対とデータ電極３２とが交差するように対向配置して放電セルを形成したＰＤＰであって、隔壁３４はデータ電極３２に平行に配置された複数の縦隔壁３４ｂと、縦隔壁３４ｂに交差結合部３６で交差して隔壁３４を井桁状に形成する複数の横隔壁３４ａとを備え、縦隔壁３４ｂのうちの両端の最外端縦隔壁３４ｃから外側に所定間隔離して縦障壁４０を設けた構成とする。【選択図】図３
2008123936.tif 000002
【特許請求の範囲】
【請求項１】
表示電極対を有する前面板と、データ電極および隔壁を有する背面板とを、前記表示電極対と前記データ電極とが交差するように対向配置して放電セルを形成したプラズマディスプレイパネルであって、
前記隔壁は前記データ電極に平行に配置された複数の縦隔壁と、前記縦隔壁に交差結合部で交差して前記隔壁を井桁状に形成する複数の横隔壁とを備え、前記縦隔壁のうちの両端の最外端縦隔壁から外側に所定間隔離して縦障壁を設けたことを特徴とするプラズマディスプレイパネル。
【請求項２】
前記所定間隔は、隣接する前記縦隔壁の間隔より小さいことを特徴とする請求項１記載のプラズマディスプレイパネル。
【請求項３】
前記縦障壁の幅は、前記縦隔壁の幅より大きいことを特徴とする請求項１または請求項２記載のプラズマディスプレイパネル。
【発明の詳細な説明】
【技術分野】
【０００１】
本発明は、壁掛けテレビや大型モニターなどに用いられるプラズマディスプレイパネルに関する。
【背景技術】
【０００２】
プラズマディスプレイパネル（以下、「ＰＤＰ」と略記する）は、互いに平行に配置された表示電極対を有する前面板と、互いに平行に配置されたデータ電極を有する背面板とを対向配置し、表示電極対とデータ電極とが交差する位置に画像を表示する放電セルが形成されている。そして前面板と背面板は、それらの外周部を封着部材で封着され、内部にはキセノン（Ｘｅ）を含む放電ガスが封入されている。
【０００３】
背面板にはデータ電極を覆うように下地誘電体層が設けられ、さらにその上に隔壁が設けられている。この隔壁はデータ電極に平行な縦隔壁と、データ電極に直角な横隔壁とで井桁状に形成されている。そして、この井桁状の隔壁がそれぞれの放電セルを区画するとともに、背面板と前面板との間隔があらかじめ決められた所定の距離となるように支持している。
【０００４】
このような隔壁は、従来スクリーン印刷法と呼ばれる方法で形成されていた。スクリーン印刷法は隔壁材料のガラスペーストを、スクリーン印刷版を用いてパターン印刷し、乾燥後、焼成する。そして、所定の隔壁厚みにするために印刷、乾燥を繰り返し積層して隔壁を形成する。このようにスクリーン印刷法では、隔壁を積層して形成すること、またスクリーン印刷版を高精細に作製するのが難しいため、近年のＰＤＰの高精細度化に伴う微細な隔壁パターンの形成が困難となっていた。
【０００５】
そこで隔壁は、微細なパターン形成が容易なフォトリソグラフィ法と呼ばれる紫外光を用いて形成されるようになってきた（例えば、特許文献１参照）。フォトリソグラフィ法は、隔壁材料に紫外線硬化樹脂を混合したガラスペーストを塗布して塗布膜を形成し、この塗布膜に遮光マスクを用いて隔壁の形成部分に選択的に紫外光を照射する。ここで塗布膜に紫外光が到達するのは一定の厚みまでなので、必要な隔壁高さとなるまで、塗布膜の形成と紫外光の照射を繰り返す。そして、高圧力の現像液を、必要な隔壁高さとなった塗布膜に当て、所定のパターンを得た後、焼成して隔壁を形成している。
【０００６】
フォトリソグラフィ法では、短波長の紫外光を用いるため微細なパターン形成が容易である。またフォトリソグラフィ法でも、塗布膜の形成および遮光マスクによる紫外光の照射を繰り返し、積層して隔壁を形成しているが、遮光マスクの位置合わせは容易であり、大きなパターンずれをおこすことがないため、微細な隔壁パターンの形成が可能である。
【特許文献１】特開２００６−２７８２００号公報
【発明の開示】
【発明が解決しようとする課題】
【０００７】
しかしながら、フォトリソグラフィ法では現像液で放電セルの領域の塗布膜を除去しなければならないため、高圧力の現像液を塗布膜に噴射している。現像反応が進行してゆくと放電セルの領域は窪んで現像液が溜まり、その現像液が緩衝材となるため、両側が放電セルとなる塗布膜のうちの隔壁部分は、その現像液の衝撃が和らげられる。
【０００８】
一方、端部の片側だけが放電セルとなる隔壁部分は、放電セルに対する側は上述の溜まっている現像液で衝撃が和らげられるが、その反対の側は現像液の溜まりもないため、噴射される高圧の現像液に曝されることになる。そのため端部の片側だけが放電セルとなる隔壁部分は、現像反応が過度に進行し両側が放電セルとなる隔壁部分よりも、幅が細くなってしまう。
【０００９】
その結果、焼成時の収縮により端部の隔壁は、背面板の誘電体層から剥がれやすくなる。特に端部の縦隔壁は、交差している横隔壁に引っ張られて傾くと、前面板と背面板との間に必要以上の隙間を生じさせ、漏れ電流の回り込みであるクロストークをおこす。
【００１０】
本発明は、上述した課題に鑑みてなされたものであり、端部の縦隔壁の過度な現像を防止して傾かせることがないようにし、前面板と背面板との間に必要以上の隙間を生じさせずにクロストークのない表示品質の高い画像表示が可能なＰＤＰを提供することを目的とする。
【課題を解決するための手段】
【００１１】
上記の目的を達成するために本発明は、表示電極対を有する前面板と、データ電極および隔壁を有する背面板とを、表示電極対とデータ電極とが交差するように対向配置して放電セルを形成したＰＤＰであって、隔壁はデータ電極に平行に配置された複数の縦隔壁と、縦隔壁に交差結合部で交差して隔壁を井桁状に形成する複数の横隔壁とを備え、縦隔壁のうちの両端の最外端縦隔壁から外側に所定間隔離して縦障壁を設けた構成とする。
【００１２】
このような構成のＰＤＰとすると、隔壁および縦障壁の形成過程において、最外端縦隔壁と縦障壁との間には窪みが生じるため現像液が滞留し、その現像液が最外端縦隔壁となる塗布膜への高圧力の現像液の衝撃を和らげる。そのため、最外端縦隔壁は過度に現像されることはなく、必要な隔壁幅とすることができる。その結果、焼成後の最外端縦隔壁は、背面板の下地誘電体層と十分な大きさの接着面積が確保されるため、傾くこともなく、クロストークのない表示品質の高い画像表示が可能なＰＤＰを提供することができる。なお縦障壁は、片側が高圧力の現像液に曝されるため、その幅は小さくなるが、横方向の引張応力が働かないため、傾くことはない。
【００１３】
また上述の所定間隔は、隣接する縦隔壁の間隔より小さくしてもよい。
【００１４】
この間隔が狭いほど、現像液が溜まりやすくなるため、高圧力の現像液の衝撃を和らげやすくなる。
【００１５】
また本発明のＰＤＰの縦障壁の幅を、縦隔壁の幅より大きくしてもよい。
【００１６】
縦障壁の片側の側面は、高圧力の現像液に曝され現像反応が進むため、このように縦障壁の幅を縦隔壁の幅より大きくしておくことが望ましい。
【発明の効果】
【００１７】
本発明のＰＤＰによれば、焼成後も縦隔壁のうちの両端の最外端縦隔壁が傾くことがないため、クロストークのない表示品質の高い画像表示が可能なＰＤＰを提供することができる。
【発明を実施するための最良の形態】
【００１８】
以下、本発明の実施の形態のＰＤＰについて図面を用いて説明する。
【００１９】
（第１の実施の形態）
図１は、本発明の第１の実施の形態のＰＤＰの平面図で、ＰＤＰ１０の内部を示すために前面板２０を破断し、隔壁３４の一部を示した図である。ＰＤＰ１０は、前面板２０と背面板３０とが対向して配置され、その外周部をガラスフリットなどからなる封着部材１１によって封着接合されている。ここで背面板３０には、横隔壁３４ａと縦隔壁３４ｂとが結合した交差結合部３６を設けた井桁状の隔壁３４が備えられている。そして縦隔壁３４ｂのうちの両端の最外端縦隔壁３４ｃから外側に所定間隔離して縦障壁４０を設けている。
【００２０】
またＰＤＰ１０は、その中央部に画像を表示する画像表示領域１２と、画像表示領域１２の外側に非画像表示領域１３とを有している。そして封着されたＰＤＰ１０の内部には、ネオン（Ｎｅ）およびキセノン（Ｘｅ）などの放電ガスが、５３２００Ｐａ〜７９８００Ｐａの圧力で封入されている。
【００２１】
図２は、本発明の第１の実施の形態のＰＤＰの構造を示す分解斜視図で、図１のＰＤＰ１０の画像表示領域１２を示している。
【００２２】
前面板２０の前面ガラス基板２１上には、走査電極２２および維持電極２３よりなる一対の帯状の表示電極対２４と、ブラックストライプ（遮光層）２５とが互いに平行に、それぞれ複数列配置されている。前面ガラス基板２１上には、表示電極対２４と、ブラックストライプ２５とを覆うようにコンデンサとしての働きをする誘電体層２６が形成され、さらにその表面に酸化マグネシウム（ＭｇＯ）などからなる保護層２７が形成されている。
【００２３】
また、背面板３０の背面ガラス基板３１上には、前面板２０の走査電極２２、および維持電極２３と直交する方向に、複数の帯状のデータ電極３２が互いに平行に配置され、これを下地誘電体層３３が被覆している。
【００２４】
ここでデータ電極３２は、表示電極対２４との間に放電セル３７を形成するように設けられている。すなわち、データ電極３２と表示電極対２４とが交差する箇所が、それぞれ放電セル３７となる。
【００２５】
そして、データ電極３２間の下地誘電体層３３上には、放電セル３７を形成する所定の高さの隔壁３４が形成されている。隔壁３４は、横隔壁３４ａと縦隔壁３４ｂとが結合した交差結合部３６を設けた井桁状であり、横隔壁３４ａの高さは、縦隔壁３４ｂの高さより高さが低い。また、隔壁３４間の溝にデータ電極３２毎に、紫外線によって赤色、青色、および緑色にそれぞれ発光する蛍光体層３５が、順次塗布して形成され、これらの赤色、青色、緑色の蛍光体層３５を有する放電セル３７が、カラー表示のための画素になる。
【００２６】
このように横隔壁３４ａの高さを、縦隔壁３４ｂの高さより低くしているのは、前面板２０と背面板３０との間に僅かな隙間を設けるようにして、放電ガスの封入を均一にするためである。また、縦隔壁３４ｂの高さを高くしているのは、赤色、青色、および緑色の異なる色相のクロストークを生じさせないためである。
【００２７】
ここで走査電極２２と維持電極２３は、それぞれ酸化インジウム（ＩＴＯ）や、酸化スズ（ＳｎＯ２）などからなる透明電極と、透明電極上に形成されたバス電極とにより構成されている。バス電極は透明電極の長手方向に導電性を付与する目的として用いられ、銀（Ａｇ）材料を主成分とする導電性材料によって形成されている。
【００２８】
次に、ＰＤＰ１０の製造方法について説明する。
【００２９】
まず、前面ガラス基板２１上に、走査電極２２および維持電極２３を構成する透明電極が、フォトリソグラフィ法などを用いてパターニングして形成される。そして、ブラックストライプ２５、および透明電極上にバス電極となるそれぞれのペースト層が、フォトリソグラフィ法、スクリーン印刷法などで形成される。ここでバス電極の材料は、導電性黒色粒子、あるいは銀（Ａｇ）材料を含むペーストであり、ブラックストライプ２５の材料も、黒色顔料を含むペーストである。
【００３０】
次に、バス電極、およびブラックストライプ２５となるそれぞれのペースト層を覆うように、誘電体ペーストをダイコート法などにより塗布して、誘電体層２６となる誘電体ペースト層を形成する。誘電体ペーストを塗布した後、所定の時間放置することによって塗布された誘電体ペースト表面が、レベリングされて平坦な表面になる。その後、バス電極のペースト層、ブラックストライプ２５のペースト層、誘電体ペースト層を一括して焼成する工程により、走査電極２２、維持電極２３、ブラックストライプ２５、および誘電体層２６が形成される。ここで、誘電体ペーストは、粉末の誘電体ガラスフリット、バインダおよび溶剤を含む塗料である。
【００３１】
次に、誘電体層２６上に酸化マグネシウム（ＭｇＯ）からなる保護層２７を、真空蒸着法により形成する。以上の工程により、前面ガラス基板２１上に所定の構成部材が形成されて前面板２０が完成する。
【００３２】
背面板３０は、次のようにして形成される。まず、背面ガラス基板３１上に、銀（Ａｇ）材料を含むペーストをスクリーン印刷する方法や、金属膜を全面に形成した後、フォトリソグラフィ法を用いてパターニングする方法などにより、データ電極３２用の構成物となる材料層を形成する。そして、その材料層を所望の温度で焼成してデータ電極３２を形成する。
【００３３】
次に、データ電極３２が形成された背面ガラス基板３１上に、ダイコート法などによりデータ電極３２を覆うように誘電体ペーストを塗布して、誘電体ペースト層を形成する。その後、誘電体ペースト層を焼成することにより、下地誘電体層３３を形成する。なお、誘電体ペーストは、粉末の誘電体ガラスフリットと、バインダ、および溶剤を含んだ塗料である。
【００３４】
次に、下地誘電体層３３上に隔壁材料を含む隔壁形成用ペーストを塗布し、所定の形状にパターニングして隔壁材料層を形成し、その後、焼成することにより、隔壁３４を、例えば横隔壁３４ａを１００μｍ、縦隔壁３４ｂを１２０μｍの高さに形成する。ここで、下地誘電体層３３上に塗布した隔壁用ペーストをパターニングする方法としては、フォトリソグラフィ法を用いる。
【００３５】
次に、隣接する隔壁３４間の下地誘電体層３３上、および隔壁３４の側面に、蛍光体材料を含む蛍光体ペーストを塗布し、焼成することにより、蛍光体層３５が形成される。以上の工程により、背面ガラス基板３１上に所定の構成部材が形成されて、背面板３０が完成する。
【００３６】
このようにして、所定の構成部材を備えた前面板２０と背面板３０とを、表示電極対２４とデータ電極３２とが交差するように対向配置して、その周囲を封着部材１１で封着し、放電セル３７内にネオン（Ｎｅ）、キセノン（Ｘｅ）などを含む放電ガスを封入することでＰＤＰ１０が完成する。
【００３７】
次に、縦隔壁３４ｂの両端付近の形成過程を詳しく説明する。図３（ａ）は図１のＡ部拡大図、図３（ｂ）は図３（ａ）のＢ−Ｂ線断面図である。図３に示すように、縦隔壁３４ｂのうちの両端の縦隔壁である最外端縦隔壁３４ｃから外側に所定間隔ｌ離して縦障壁４０が設けられている。ここで縦障壁４０の幅Ｄは縦隔壁３４ｂの幅ｄより大きく、所定間隔ｌは縦隔壁３４ｂの間隔Ｌより小さくする。また最外端縦隔壁３４ｃから外側とは、最外端縦隔壁３４ｃから縦隔壁３４ｂが形成されている側と反対側を意味する。
【００３８】
このような隔壁３４および縦障壁４０の形成過程において、最外端縦隔壁３４ｃと縦障壁４０との間には窪みが生じるため現像液が滞留し、その現像液が最外端縦隔壁３４ｃとなる塗布膜への高圧力の現像液の衝撃を和らげる。そのため、最外端縦隔壁３４ｃは過度に現像されることはなく、必要な隔壁幅とすることができる。その結果、焼成後の最外端縦隔壁３４ｃは、背面板３０の下地誘電体層３３と十分な大きさの接着面積が確保されるため、傾くこともなく、クロストークのない表示品質の高い画像表示が可能なＰＤＰを提供することができる。ここで縦障壁４０は、片側が高圧力の現像液に曝されるため、その幅は小さくなるが、横方向の引張応力が働かないため、傾くことはない。
【００３９】
また所定間隔ｌを、隣接する縦隔壁３４ｂの間隔Ｌより小さくすることで、現像液を溜まりやすくし、高圧力の現像液の衝撃を和らげやすくできる。そして縦障壁４０の幅Ｄを、縦隔壁３４ｂの幅ｄより大きくすることで、片側が高圧力の現像液に曝される縦障壁４０が消失することはない。
【００４０】
（第２の実施の形態）
図４は、本発明の第２の実施の形態のＰＤＰの平面図で、ＰＤＰ５０の内部を示すために、前面板２０を破断し、ＰＤＰ５０のコーナー部付近を示した図である。本発明の第２の実施の形態のＰＤＰ５０は、縦障壁４０に加え横障壁４１を設けている点が本発明の第１の実施の形態のＰＤＰ１０と異なる。すなわち、横隔壁３４ａのうちの両端の最外端横隔壁３４ｄから外側に所定間隔離して横障壁４１を設けている。そして、図４に示すように縦障壁４０と横障壁４１とは、コーナー部で接合され、縦障壁４０と横障壁４１とで隔壁３４を包囲している。
【００４１】
ここで横障壁４１の幅は横隔壁３４ａの幅より大きく、所定間隔は横隔壁３４ａの間隔より小さくする。また最外端横隔壁３４ｄから外側とは、最外端横隔壁３４ｄから横隔壁３４ａが形成されている側と反対側を意味する。
【００４２】
このように縦障壁４０と横障壁４１とが、隔壁３４を包囲する形状としているため、隔壁３４、縦障壁４０および横障壁４１の形成過程において、隔壁３４と縦障壁４０および横障壁４１との間には、より現像液が滞留しやすくなる。そのため、より最外端縦隔壁３４ｃとなる塗布膜への高圧力の現像液の衝撃が和らげられ、最外端縦隔壁３４ｃは過度に現像されることはなく、必要な隔壁幅とすることができる。その結果、焼成後の最外端縦隔壁３４ｃは、背面板３０の下地誘電体層と十分な大きさの接着面積が確保されるため、傾くこともなく、クロストークのない表示品質の高い画像表示が可能なＰＤＰを提供することができる。
【産業上の利用可能性】
【００４３】
本発明のＰＤＰは、クロストークをおこすことのない表示品質の高い画像表示を行えるので、表示デバイスなどの分野に有用である。
【図面の簡単な説明】
【００４４】
【図１】本発明の第１の実施の形態のＰＤＰの平面図
【図２】同ＰＤＰの構造を示す分解斜視図
【図３】（ａ）図１のＡ部拡大図（ｂ）図３（ａ）のＢ−Ｂ線断面図
【図４】本発明の第２の実施の形態のＰＤＰの平面図
【符号の説明】
【００４５】
１０，５０    プラズマディスプレイパネル（ＰＤＰ）
１１    封着部材
１２    画像表示領域
１３    非画像表示領域
２０    前面板
２１    前面ガラス基板
２２    走査電極
２３    維持電極
２４    表示電極対
２５    ブラックストライプ（遮光層）
２６    誘電体層
２７    保護層
３０    背面板
３１    背面ガラス基板
３２    データ電極
３３    下地誘電体層
３４    隔壁
３４ａ    横隔壁
３４ｂ    縦隔壁
３４ｃ    最外端縦隔壁
３４ｄ    最外端横隔壁
３５    蛍光体層
３６    交差結合部
３７    放電セル
４０    縦障壁
４１    横障壁
【図１】
2008123936.tif 000003
【図２】
2008123936.tif 000004
【図３】
2008123936.tif 000005
【図４】
2008123936.tif 000006